(57)【要約】【課題】作業者が危険を伴わずにロックナットのカシメ作業を行うことのできるロックナットカシメ治具を提供すること。【解決手段】ロックナットが装着された部材に対して位置決めされるフランジ部と、前記ロックナットに係合する第一の端部を有する一対のレバー、および、前記一対のレバーの中間部を軸支する台座、を有するカシメ部と、を備え、前記カシメ部は前記フランジ部に対して前記ロックナットの回転軸回りに回転可能であり、前記一対のレバーの第二の端部同士が互いに離れる方向に移動することで、前記第一の端部同士が互いに近付く方向に移動する、ロックナットカシメ治具。【選択図】図１
2020131227.tif 000002
【特許請求の範囲】
【請求項１】
ロックナットが装着された部材に対して位置決めされるフランジ部と、
前記ロックナットに係合する第一の端部を有する一対のレバー、および、前記一対のレバーの中間部を軸支する台座、を有するカシメ部と、を備え、
前記カシメ部は前記フランジ部に対して前記ロックナットの回転軸回りに回転可能であり、
前記一対のレバーの第二の端部同士が互いに離れる方向に移動することで、前記第一の端部同士が互いに近付く方向に移動する、
ロックナットカシメ治具。
【請求項２】
前記フランジ部に対して固定されるカバー部を備え、
前記台座は、前記回転軸の延在方向における中間部において前記回転軸から離れる方向に突出し、前記フランジ部と前記カバー部とに挟まれる突出部を有する、
請求項１に記載のロックナットカシメ治具。
【請求項３】
前記レバーは、前記台座と係合することで自らの回転を規制する規制部を有する、
請求項１または２に記載のロックナットカシメ治具。
【請求項４】
前記第二の端部同士の間隔は、前記第一の端部同士の間隔より広い、
請求項１〜３のいずれか一項に記載のロックナットカシメ治具。
【発明の詳細な説明】
【技術分野】
【０００１】
本開示は、ロックナットカシメ治具に関する。
【背景技術】
【０００２】
従来、ロックナットの緩みを防止するために、作業者がタガネおよびハンマを用いてロックナットのカシメ作業を行っていた。具体的には、作業者が一方の手でタガネを持つとともに、他方の手でハンマを持ち、タガネの一端をロックナットのカシメ箇所に当てた状態で、タガネの他端をハンマで叩くことにより、ロックナットのカシメ作業を行っていた。
【先行技術文献】
【特許文献】
【０００３】
【特許文献１】特開平７−２５１２２７号公報
【発明の概要】
【発明が解決しようとする課題】
【０００４】
従来の方法では、作業者がタガネをハンマで叩く際に、誤ってタガネを持った手を叩いてしまうという問題があった。
【０００５】
本開示の目的は、作業者が危険を伴わずにロックナットのカシメ作業を行うことのできるロックナットカシメ治具を提供することである。
【課題を解決するための手段】
【０００６】
本開示の一態様に係るロックナットカシメ治具は、ロックナットが装着された部材に対して位置決めされるフランジ部と、前記ロックナットに係合する第一の端部を有する一対のレバー、および、前記一対のレバーの中間部を軸支する台座、を有するカシメ部と、を備え、前記カシメ部は前記フランジ部に対して前記ロックナットの回転軸回りに回転可能であり、前記一対のレバーの第二の端部同士が互いに離れる方向に移動することで、前記第一の端部同士が互いに近付く方向に移動する、ロックナットカシメ治具である。
【発明の効果】
【０００７】
本開示によれば、作業者が危険を伴わずにロックナットのカシメ作業を行うことができる。
【図面の簡単な説明】
【０００８】
【図１】図１は、実施形態に係るロックナットカシメ治具を正面側から見た斜視図である。
【図２】図２は、実施形態に係るロックナットカシメ治具の正面断面図であり、カシメ作業が行われる前の状態を示した図である。
【図３】図３は、実施形態に係るロックナットカシメ治具の正面断面図であり、カシメ作業が行われた状態を示した図である。
【図４】図４は、実施形態に係るロックナットカシメ治具の側断面図であり、カシメ作業が行われる前の状態を示した図である。
【図５】図５は、実施形態に係るロックナットカシメ治具の正面図であり、カシメ作業が行われた状態を示した図である。
【発明を実施するための形態】
【０００９】
以下、本開示の実施形態について、図面を参照して詳細に説明する。なお、以下に説明する実施形態は一例であり、本開示はこの実施形態により限定されるものではない。
【００１０】
図１〜５を参照して、実施形態に係るロックナットカシメ治具１について説明する。図１は、ロックナットカシメ治具１を正面側から見た斜視図である。図２は、ロックナットカシメ治具１の正面断面図であり、カシメ作業が行われる前の状態を示した図である。図３は、ロックナットカシメ治具１の正面断面図であり、カシメ作業が行われた状態を示した図である。図４は、ロックナットカシメ治具１の側断面図であり、カシメ作業が行われる前の状態を示した図である。図５は、ロックナットカシメ治具１の正面図であり、カシメ作業が行われた状態を示した図である。以下の説明では、便宜上、図２〜５における上方向を「上方向」、下方向を「下方向」と定義する。また、図２〜５には、シャフト２の回転軸ＣＬが描かれており、回転軸ＣＬの延在方向を「軸方向」と定義する。なお、図２〜４は、シャフト２の回転軸ＣＬを通る断面を示している。
【００１１】
ロックナットカシメ治具１は、シャフト２の上端部にカップリング３がスプライン嵌合され、シャフト２の上端に設けられた雄ねじ部にロックナット４が螺入締結された後に行われる、ロックナット４の緩みを防止するためのカシメ作業に用いられる。シャフト２、カップリング３およびロックナット４は、回転軸ＣＬ回りを一体となって回転する。
【００１２】
ロックナットカシメ治具１は、フランジ１０（「フランジ部」の一例）と、カシメ部材２０（「カシメ部」の一例）と、一対のカバー８０、８０（「カバー部」の一例）と、を備える。
【００１３】
（フランジ１０）
フランジ１０は、軸方向と直交する方向に延在する円板状の部材の一部を切り欠いたものである。フランジ１０の周縁は、回転軸ＣＬを中心とする２つの回転曲面部と、これら２つの回転曲面部の端部同士を繋ぐ２つの平面部とにより構成される。２つの平面部は、互いに平行である。
【００１４】
フランジ１０の中心部には、フランジ１０を軸方向に貫通する穴１１が形成されている。穴１１を画定する内周面１２は、回転軸ＣＬを中心とする円筒面である。穴１１には、カシメ部材２０が挿通される。
【００１５】
穴１１を取り囲むように、複数（図１に示す例では４個）の穴１３が形成されている。穴１３は、フランジ１０を軸方向に貫通している。穴１３には、カップリング３の上面から軸方向に突出するスタッドボルト５が挿通される。
【００１６】
穴１１と穴１３との間（すなわち、穴１３よりも径方向内側）には、フランジ１０を軸方向に貫通する穴１４が形成されている。穴１４には、フランジ１０とカップリング３との位置決め用のピン１５が挿通される。
【００１７】
カップリング３の上面には、互いに交差する方向に延びる複数の溝が形成されている。穴１３にカップリング３のスタッドボルト５が挿通され、さらにピン１５が上述の溝に嵌合されることで、カップリング３に対するフランジ１０の位置決め（すなわち、シャフト２に対するフランジ１０の位置決め）が行われる。
【００１８】
このようにしてカップリング３に対してフランジ１０が位置決めされた状態で、スタッドボルト５にナット６が螺入締結されることで、カップリング３に対してフランジ１０が固定される。
【００１９】
（カシメ部材２０）
カシメ部材２０は、一対の台座３０、３０と、一対のレバー４０、４０とを有する。レバー４０、４０は、台座３０、３０に挟持されている。
【００２０】
図２に示すように、台座３０は、内周面３１と、外周面３２と、内周面３１の端部と外周面３２の端部とを繋ぐようにして延び、図２の断面と平行な平面上に位置する２つの平面３３、３３を有する。内周面３１および外周面３２は、回転軸ＣＬを中心とする回転曲面である。
【００２１】
台座３０には、２つの穴３４が形成されている。穴３４は、平面３３から、平面３３に直交する方向（すなわち、図２において紙面手前側から紙面奥側に向かう方向）に延び、外周面３２に至っている。穴３４には、軸２１（後述する）が挿通される。
【００２２】
図４に示すように、台座３０の軸方向中間部には、外周面３２から径方向外側に向かって突出する突出部３５が設けられている。突出部３５の外周面は、回転軸ＣＬを中心とする回転曲面である。
【００２３】
突出部３５の外径寸法は、フランジ１０の穴１１の内径寸法よりも大きい。一方、台座３０における突出部３５よりも下側の部分の外径寸法は、フランジ１０の穴１１の内径寸法よりも小さい。そのため、図４に示すように、台座３０における突出部３５よりも下側の部分が、フランジ１０の穴１１に嵌入する。
【００２４】
レバー４０は、回動部５０と、押圧部６０と、把持部７０と、を含んで構成される。回動部５０には、回動部５０を手前側から奥側へ向かう方向（すなわち、図２において紙面手前側から紙面奥側へ向かう方向）に貫通する穴５１が形成されている。穴５１には、軸２１が挿通される。
【００２５】
押圧部６０は、回動部５０の下端に固定されている。押圧部６０は、回動部５０および把持部７０よりも硬度の高い材料によって形成されている。カシメ作業が行われることで、押圧部６０は、ロックナット４の上端部４ａを径方向内側に向けて押圧し、上端部４ａを径方向内側に変形させる。
【００２６】
把持部７０は、図４に示すように、回動部５０の上側を手前側および奥側（すなわち、図４における左側および右側）から挟み込む挟持部７１と、挟持部７１から上方向に延在する延在部７２と、を有する。
【００２７】
把持部７０は、挟持部７１においてネジ等の固定手段を用いて回動部５０に固定されている。延在部７２は、図１に示すように、上方向に延在する途中位置で、径方向外側に向かって屈曲している。
【００２８】
一対のレバー４０、４０が一対の台座３０、３０に挟持された状態で、穴３４および穴５１に軸２１が挿通され、さらに軸２１の両端に形成されたネジ部にナットが螺入されることで、カシメ部材２０が構成される。
【００２９】
レバー４０は、軸２１を介して台座３０に軸支される。より具体的には、レバー４０の中間部は、軸２１を介して台座３０に軸支され、レバー４０は、軸２１回りに回動可能である。
【００３０】
このような構成により、カシメ部材２０は、以下のように動作する。一対のレバー４０、４０の上端側（軸２１よりも上側）同士が、互いに離れる方向に移動することで、一対のレバー４０、４０の下端側（軸２１よりも下側。例えば押圧部６０）同士が、互いに近付く方向に移動する。
【００３１】
また、一対のレバー４０、４０の上端側（軸２１よりも上側）同士が、互いに近付く方向に移動することで、一対のレバー４０、４０の下端側（軸２１よりも下側。例えば押圧部６０）同士が、互いに離れる方向に移動する。
【００３２】
（カバー８０）
カバー８０は、軸方向と直交する方向に延在する板状の部材の一部を切り欠いた形状をなす。カバー８０は、フランジ１０にネジ等の固定手段によって固定される。カバー８０は、４つの側面を有しており、このうち、回転軸ＣＬを向く側面を除く３つの側面は平面である。
【００３３】
図４に示すように、カバー８０における回転軸ＣＬを向く側面は、段付き形状となっており、上側に位置する小径内周面８１と、下側に位置する大径内周面８２とを含んで構成される。小径内周面８１および大径内周面８２は共に、回転軸ＣＬを中心とする回転曲面である。
【００３４】
フランジ１０の穴１１にカシメ部材２０における台座３０の突出部３５よりも下側の部分が嵌入された状態（すなわち、フランジ１０の上面と台座３０の突出部３５の下面とが対向した状態で）で、カバー８０は、フランジ１０に固定される。
【００３５】
これにより、突出部３５の外周面は、カバー８０の大径内周面８２と対向する。また、台座３０の突出部３５より上側の部分の外周面３２は、カバー８０の小径内周面８１と対向する。また、台座３０の突出部３５より下側の部分の外周面３２は、フランジ１０の内周面１２と対向する。
【００３６】
（回転機構）
ロックナットカシメ治具１は、フランジ１０に対してカシメ部材２０を回転軸ＣＬ回りに回転させることができる回転機構を有している。以下、回転機構について説明する。
【００３７】
上述のとおり、台座３０の突出部３５より下側の外周面３２と、フランジ１０の内周面１２とは、共に回転軸ＣＬを中心とする回転曲面である。フランジ１０に対してカシメ部材２０がセットされ、フランジ１０にカバー８０が固定された状態で、台座３０の突出部３５よりも下側の部分の外周面３２と、フランジ１０の内周面１２とは、僅かな隙間を介して対向している。そのため、カシメ部材２０は、フランジ１０に対して回転方向以外の動きが規制される。
【００３８】
台座３０の突出部３５より上側の部分の外周面３２と、カバー８０の小径内周面８１とは、共に回転軸ＣＬを中心とする回転曲面であり、僅かな隙間を介して対向している。また、台座３０の突出部３５の外周面と、カバー８０の大径内周面８２とは、共に回転軸ＣＬを中心とする回転曲面であり、僅かな隙間を介して対向している。そのため、カシメ部材２０は、フランジ１０に対して、回転軸ＣＬ回りに回転可能である。
【００３９】
また、台座３０の突出部がフランジ１０とカバー８０とによって上下から挟まれているため、カシメ部材２０がフランジ１０から離脱することを防止することができる。
【００４０】
（カシメ作業の手順）
次に、ロックナットカシメ治具１を用いて行われるロックナット４のカシメ作業について、順を追って説明する。
【００４１】
まず、シャフト２の上端部にカップリング３がスプライン嵌合され、シャフト２の上端に設けられた雄ねじ部にロックナット４が螺入締結された状態で、ロックナットカシメ治具１のフランジ１０の穴１３に、カップリング３の上面から軸方向に突出するスタッドボルト５が挿通される。
【００４２】
次に、ピン１５がカップリング３の上面に形成された溝に嵌入される。これにより、フランジ１０が、カップリング３に対して位置決めされる。
【００４３】
次に、フランジ１０がカップリング３に対して位置決めされた状態で、スタッドボルト５にナット６が螺入締結される。これにより、フランジ１０が、カップリング３に対して固定される。
【００４４】
次に、フランジ１０に対してカシメ部材２０を回転軸ＣＬ回りに回転させる。これにより、カシメ部材２０の押圧部６０が、シャフト２の凹部２ａ（図２を参照）に対して回転位相合わせされる。なお、本工程は、カシメ部材２０の押圧部６０とシャフト２の凹部２ａとの回転位相が一致している場合には省略されてもよい。
【００４５】
次に、一対のカシメ部材２０、２０におけるレバー４０の上端付近が互いに離れる方向に移動させられる。これにより、レバー４０は軸２１回りに回転し、押圧部６０がロックナット４の上端部４ａを径方向内側に向けて押圧し、上端部４ａを径方向内側に変形させる。
【００４６】
以上のようにして、作業者が危険を伴わずにロックナット４のカシメ作業を行うことができる。
【００４７】
なお、レバー４０の延在部７２は、上述のとおり、上方向に延在する途中位置で、径方向外側に向かって屈曲している。これにより、一対のレバー４０の上端付近同士の間隔は、押圧部６０同士の間隔より広い。そのため、一対のレバー４０の上端付近を互いに離れる方向に移動させる作業が作業者によって行われる場合に、作業者が無理な姿勢を取る必要無く、作業を行うことができる。
【００４８】
（カシメ量規制機構）
ロックナットカシメ治具１は、カシメ量を規制するカシメ量規制機構を有している。以下、図４および図５を参照して、カシメ量規制機構について説明する。
【００４９】
図４に示すように、カシメ作業が行われる前の状態において、カシメ部材２０におけるレバー４０の把持部７０の下端と、台座３０の上面との間には、僅かな隙間が設けられている。
【００５０】
この状態から、レバー４０の上端付近が互いに離れる方向に移動させられると、レバー４０は軸２１回りに回転し、把持部７０の下端が、台座３０の上面に当接する。
【００５１】
把持部７０の下端が台座３０の上面に当接することで、レバー４０がそれ以上回転することが規制される。
【００５２】
以上説明したように、本実施形態に係るロックナットカシメ治具１は、ロックナット４が装着されたシャフト２に対して位置決めされるフランジ１０と、ロックナット４に係合する押圧部６０を有する一対のレバー４０、および、レバー４０の中間部を軸支する台座３０、を有するカシメ部材２０と、を備え、カシメ部材２０はフランジ１０に対して回転軸ＣＬ回りに回転可能であり、一対のレバー４０の上端部同士が互いに離れる方向に移動することで、押圧部６０同士が互いに近付く方向に移動する、ロックナットカシメ治具１である。
【００５３】
これにより、フランジ１０をカップリング３に対して位置決めした状態で、カシメ部材２０をフランジ１０に対して回転軸ＣＬ回りに回転させて押圧部６０とシャフト２の凹部２ａとの回転位相合わせを行った上で、一対のレバー４０の上端部同士を互いに離れる方向に移動させることで、ロックナット４のカシメ作業を行うことができる。そのため、作業者が危険を伴わずにロックナット４のカシメ作業を行うことができる。
【００５４】
以上、本開示の実施形態について説明したが、本開示は、上述の実施形態に限定されるものではなく、本開示の趣旨を逸脱しない範囲で、適宜変形して実施することが可能である。
【００５５】
上述の実施形態では、カップリング３の上面に形成された溝にピン１５を嵌入することでカップリング３に対するフランジ１０の位置決め（すなわち、シャフト２に対するフランジ１０の位置決め）を例に説明を行ったが、カップリング３に対するフランジ１０の位置決め方法はこれに限定されないことはもちろんである。
【００５６】
また、上述の実施形態では、把持部７０の下端と台座３０の上面との当接により、カシメ量を規制するものを例に説明を行ったが、カシメ量の規制方法はこれに限定されないことはもちろんである。なお、カシメ量を規制する機構を有しなくともよい。
【産業上の利用可能性】
【００５７】
本開示のロックナットカシメ治具は、ロックナットが螺入締結された後に行われる、ロックナットの緩みを防止するためのカシメ作業に好適に用いられる。
【符号の説明】
【００５８】
１  ロックナットカシメ治具
２  シャフト
２ａ  凹部
３  カップリング
４  ロックナット
５  スタッドボルト
６  ナット
１０  フランジ
１１  穴
１２  内周面
１３  穴
１４  穴
１５  ピン
２０  カシメ部材
２１  軸
３０  台座
３１  内周面
３２  外周面
３３  平面
３４  穴
３５  突出部
４０  レバー
５０  回動部
５１  穴
６０  押圧部
７０  把持部
７１  挟持部
７２  延在部
８０  カバー
８１  小径内周面
８２  大径内周面
ＣＬ  回転軸
【図１】
2020131227.tif 000003
【図２】
2020131227.tif 000004
【図３】
2020131227.tif 000005
【図４】
2020131227.tif 000006
【図５】
2020131227.tif 000007